(57)【要約】  【課題】キースイッチの押操作を短い周期で頻繁に行っても確実にスイッチ作動を行わせることができるキースイッチ構造を提供する。  【解決手段】機器本体とカバー１の間に印刷配線基板２とシート３と連結板６を順に積層状態に格納して組み立てる。印刷配線基板２には所定の電気回路部品が搭載され、キースイッチ回路を形成する導体パターンが中心導体部２ａと周辺導体部２ｂに接続される。両導体部（２ａ、２ｂ）がドームスイッチ７によって導通されるとスイッチオン状態とされ、非導通状態でスイッチオフ状態とされる。ドームスイッチ７の上位にはそれぞれに対応する押釦５の底部が位置され、当該の押釦５の底部には円柱状の段差でなる突出部５ａが形成され、その中心に先端面が略半球状の押子５ｂが形成され、接触時の吸着が防止される。【選択図】図１
2006012699.tif 000002
【特許請求の範囲】
【請求項１】
印刷配線基板に露呈して形成された中心導体部と周辺導体部でなる接点導体部と、
前記接点導体部の配置部位の上位に配設され、かつ導電性を持ったばね材で形成されたドームスイッチ板と、
前記ドームスイッチ板の中央部を押圧する軟質材料でなる押子が設けられた押釦と、
を有し、
前記押釦が非押操作状態のときに、前記ドームスイッチ板の周辺部が前記周辺導体部に接し、該ドームスイッチ板の中央部が前記中心導体部から離隔してスイッチオフとされ、
前記押釦が押操作状態のときに、前記ドームスイッチ板の周辺部が前記周辺導体部に接し、該ドームスイッチ板の中央部が前記中心導体部に接してスイッチオンとされるキースイッチ構造において、
前記ドームスイッチ板の中央を押操作し得る押子の先端形状を、該ドームスイッチ板に対して吸着を生じさせないように形成することを特徴とするキースイッチ構造。
【請求項２】
前記押子の先端形状は、１つの凸部で形成されたことを特徴とする請求項１に記載のキースイッチ構造。
【請求項３】
前記押子の先端形状は、複数の凸部で形成されたことを特徴とする請求項１に記載のキースイッチ構造。
【請求項４】
前記押子の先端形状は、略半球状の突起で形成されたことを特徴とする請求項２または請求項３に記載のキースイッチ構造。
【請求項５】
前記押子の先端形状は、略平面状の当接面に溝部を形成したことを特徴とする請求項２または請求項３に記載のキースイッチ構造。
【請求項６】
前記印刷配線基板は、可撓性を有する板材、および／または可撓性を有さない板材で構成されたことを特徴とする請求項１乃至請求項５のいずれかに記載のキースイッチ構造。
【請求項７】
前記接点導体部と、前記ドームスイッチ板と、前記押子を有するキースイッチの複数組が隣接して構成されたことを特徴とする請求項１乃至請求項５のいずれかに記載のキースイッチ構造。
【請求項８】
前記押釦の複数が連結板を介して連結されて用いられることを特徴とする請求項７に記載のキースイッチ構造。
【請求項９】
前記印刷配線基板は、前記中心導体部と前記周辺導体部の対の複数組が形成されて用いられることを特徴とする請求項７に記載のキースイッチ構造。
【発明の詳細な説明】
【技術分野】
【０００１】
本発明は、電卓、赤外線リモコン、携帯電話機、携帯情報端末機器、等々の電子機器に用いられるキースイッチ構造の改良に関する。
【背景技術】
【０００２】
各種の電子機器に用いられるキースイッチは、例えば［特許文献１］に開示されているタクトスイッチのように、基板の中心部に形成された第１固定電極と、その周囲に形成された第２固定電極を形成し、その上部に導電性ばね材でなるドームスイッチ板を載置し、その中央部の上位に押釦を配置し、この押釦がドームスイッチ板の方向に押操作されないスイッチオフ状態においては、ドームスイッチの周辺部が第２固定電極に接し、中心部がドームスイッチの第１固定電極から離隔した状態にされ、一方、押釦が押操作されるスイッチオン状態においては、ドームスイッチの周辺部が第２固定電極に接した状態で中心部がドームスイッチ板の第１固定電極に接触された状態、即ち、第１固定電極と第２固定電極がドームスイッチ板を介して導通状態にされる。
【０００３】
このようなタクトスイッチ（キースイッチ）は、オン／オフの押操作を行うときにドームスイッチ板の反転動作に伴うクリック感（反動感覚）が生じるのでユーザーに対してスイッチを操作したことを確実に認知させることができ優れた使用感を有するものである。
【０００４】
このようなキースイッチは、１つの独立したスイッチとして構成される場合もあるが、縦横方向に多数のキースイッチを並べたフルキーボードやテンキー等を構成するにはその厚み方向の寸法が大きくなってしまい、近年、特に要望されている機器の薄型化に応えられず、例えば図５に示す状態１０のようなキースイッチ構造が採用されることが多い。
【０００５】
即ち、電子機器の筐体の一部を構成するカバー１の表面には多数のキースイッチ穴が開口して形成され、その開口には、可撓性を有する連結板６を用いて縦横方向に多数が連結された押釦５が露呈される。
【０００６】
このような連結板６の下位に対向して印刷配線基板２が配置され、その表面には中心導体部２ａが露呈した状態で形成され、この中心導体部２ａの周囲に周辺導体部２ｂが露呈して形成されている。
【０００７】
中心導体部２ａと周辺導体部２ｂの上位には、導電性を持ったぱね材で形成されたドームスイッチ４が載置され、その上位に押釦５が配置され押釦５の下部に柱状に延出する突出部５aが形成され、このドームスイッチ４の周囲は絶縁材でなるシート３で覆われている。
【０００８】
従って、押釦５を手指でもって押操作すると、その突出部５ａでドームスイッチ４の中央部が押され、ドームスイッチ４が反転されてその周辺部が周辺導体部２ｂに接した状態でドームスイッチ４の中央部が中心導体部２ａに接し、中心導体部２ａと周辺導体部２ｂの導通がドームスイッチ４を介してなされ、スイッチオン状態にされる。
【０００９】
このような状態１０において、押釦５の押操作が解除開始されると、押釦５が上方に移動するに伴ってドームスイッチ４の中央部の押圧が解除されドームスイッチ４の自身のばね力によって自身の中央部が中心導体部２ａから離隔し状態２０に示すようにドームスイッチ４が自由状態にされる。
【００１０】
この状態２０の直後には、状態３０として示すようにドームスイッチ４が自由状態のまま、押釦５が連結板６による復帰力等によってその突出部５ａがドームスイッチ４の中央部から完全に離隔した初期位置に復旧する。
【００１１】
押釦５の材質は、比較的に柔らかいプラスチック系材質もしくはゴム系材質で作られ、連結板６にばね力を持たせ、自然位置で状態３０に示すようにドームスイッチ４と突出部５ａが完全に離間した状態になるように設定されている。
【特許文献１】特開平７−２９４５０号公報（図１〜図３、［００１１］〜［００１５］に開示）
【発明の開示】
【発明が解決しようとする課題】
【００１２】
従来のキースイッチ構造は、ドームスイッチ板を押操作するための押釦の材質が、比較的に柔らかいプラスチック系材質もしくはゴム系材質で作られているので、押釦自身の軟質材に特有のべたつきがあるため、押釦を押下した際に、印刷配線基板の上のドームスイッチ板の接触面に一瞬吸盤状にへばりついてから復帰するために、正規の初期状態に戻るまでに僅かの時間が必要とされ、このためにキーを短い周期で連続的に押操作することができないという問題がある。
【００１３】
この問題は、特に当該電子機器が携帯電話機である場合に顕著に生じ、メール作成の文字入力や動作指令を与えるためのキースイッチの釦をユーザが頻繁に押操作する状態で使用される際に短い周期で何回も押操作することに対応できず、その操作性の改善が求められている。
【００１４】
従来のキースイッチ構造では押釦に軟質材が使用されているので、押釦の表面と印刷配線基板の接触面が吸盤状にへばりついてしまう現象が発生していが、この現象を解決する手段として単純に押釦の先端の突出部の寸法を伸ばすと、キースイッチ構造そのものの厚み方向の寸法が増大してしまい、小型薄型化の要求に応えることができず、また、部品精度、装置組立等によるバラツキで反発力が過大になりキーを押し切った状態にロックされてしまうことがあるので、解決策とはならないという現状である。
【００１５】
そこで、本発明の目的は、各種電子機器に用いられるキースイッチ構造において、キースイッチの押操作を短い周期で頻繁に行っても確実にスイッチ作動を行わせることができるキースイッチ構造を提供することにある。
【課題を解決するための手段】
【００１６】
前述の課題を解決するため、本発明によるキースイッチ構造は、次に列挙するような特徴的な構成を採用している。
【００１７】
（１）印刷配線基板に露呈して形成された中心導体部と周辺導体部でなる接点導体部と、
前記接点導体部の配置部位の上位に配設され、かつ導電性を持ったばね材で形成されたドームスイッチ板と、
前記ドームスイッチ板の中央部を押圧する軟質材料でなる押子が設けられた押釦と、
を有し、
前記押釦が非押操作状態のときに、前記ドームスイッチ板の周辺部が前記周辺導体部に接し、該ドームスイッチ板の中央部が前記中心導体部から離隔してスイッチオフとされ、
前記押釦が押操作状態のときに、前記ドームスイッチ板の周辺部が前記周辺導体部に接し、該ドームスイッチ板の中央部が前記中心導体部に接してスイッチオンとされるキースイッチ構造において、
前記ドームスイッチ板の中央を押操作し得る押子の先端形状を、該ドームスイッチ板に対して吸着を生じさせないように形成するキースイッチ構造。
【００１８】
（２）前記押子の先端形状は、１つの凸部で形成された上記（１）のキースイッチ構造。
【００１９】
（３）前記押子の先端形状は、複数の凸部で形成された上記（１）のキースイッチ構造。
【００２０】
（４）前記押子の先端形状は、略半球状の突起で形成された上記（２）または（３）のキースイッチ構造。
【００２１】
（５）前記押子の先端形状は、略平面状の当接面に溝部を形成した上記（２）または（３）のキースイッチ構造。
【００２２】
（６）前記印刷配線基板は、可撓性を有する板材、および／または可撓性を有さない板材で構成された上記（１）乃至（５）のいずれかのキースイッチ構造。
【００２３】
（７）前記接点導体部と、前記ドームスイッチ板と、前記押子を有するキースイッチの複数組が隣接して構成された上記（１）乃至（５）のいずれかのキースイッチ構造。
【００２４】
（８）前記押釦の複数が連結板を介して連結されて用いられる上記（７）のキースイッチ構造。
【００２５】
（９）前記印刷配線基板は、前記中心導体部と前記周辺導体部の対の複数組が形成されて用いられる上記（７）のキースイッチ構造。
【発明の効果】
【００２６】
携帯電話での電子メール使用時に文章を作成する等の際に、押釦を連続的に押操作して文字入力する場合であっても、本発明によるキースイッチ構造は、押釦を押操作してから復帰するまでの時間が短縮されているので連続キー押下の操作性を著しく向上させることができる。
【００２７】
また、従来のキースイッチ構造では押釦を指で押下して素早く離した場合、押釦の押子が軟質材であるので、押子が当接点（ドームスイッチの中央）に一瞬、へばり付くために離した指にキーボタンが追従せずに遅れて復帰してしまう現象が起こってしまい、このときに押釦が復帰する際には、キー操作とは僅かにずれたタイミングで押釦が機器ケースにぶつかってパチンという異音が発生する可能性があったが、本発明によるキースイッチ構造は、ドームスイッチの中央を押操作し得る押子の先端形状を、該ドームスイッチに対して吸着を生じさせないように形成しているので、押釦の反発力を助長すると共に、押子の下面と当接点（ドームスイッチの中央部）が吸盤状にへばり付くことを解消でき、且つ異音の発生を抑えることができる。
【００２８】
従って、本発明によれば、キースイッチの押操作を短い周期で頻繁に行っても確実にスイッチ作動を行わせることができるキースイッチ構造を提供することができる。
【実施例１】
【００２９】
本発明の１実施例によるキースイッチ構造を図１乃至図４を用い［実施例１］として説明する。
【００３０】
本実施例は、電子機器が携帯電話機である場合に本発明を適用したもので、携帯電話機における発信電話番号の入力、メール文字の入力、各種動作制御の指令等々を行うためのキースイッチに本発明のキースイッチ構造を適用したもので、携帯電話機の機器本体８とカバー１の間に印刷配線基板２とシート３と連結板６を順に積層状態に格納して組み立てられる。
【００３１】
機器本体８の上面に載置される印刷配線基板２には抵抗、コンデンサ、トランジスタ、ＩＣ等の電子部品が搭載され所定の電気回路が構成され、そのキースイッチ回路を形成する導体パターンが中心導体部２ａと周辺導体部２ｂに接続されている。
【００３２】
中心導体部２ａは、略円状の小径の導体パターンで形成され、その周囲を囲繞するような細帯状の円形環の導体パターンで周辺導体部２ｂが形成され、両導体（２ａ、２ｂ）が後述のドームスイッチ７（可動接地点７ａ）によって導通されるとスイッチオン状態とされ、非導通状態でスイッチオフ状態とされる。
【００３３】
このような中心導体部２ａと周辺導体部２ｂの対の複数が縦横方向に所定ピッチを有して設けられ、１行当たりに３個が配列され、その６〜８行が設けられている。
【００３４】
その複数の導体対の上位のそれぞれに対応して配置されたドームスイッチ７がシート３によって位置規制された状態で印刷配線基板２の板表面に密接された状態で配設され、多数のドームスイッチ７の上位にはそれぞれに対応する押釦５の底部が位置され、当該の押釦５の底部には円柱状の段差でなる突出部５ａが形成され、その中心に先端面が略半球状の押子５ｂが形成されている。
【００３５】
押釦５の材質は、比較的に柔らかいプラスチック系材質もしくはゴム系材質で作られ、連結板６にばね力を持たせ、自然位置において図４に示すようにドームスイッチ７と突出部５ａが完全に離間した状態になるように設定されている。
【００３６】
従って、自由状態においては、図４に示すように押釦５の下端に形成された押子５ｂとドームスイッチ７の中央部が僅かに離隔した状態とされ、この状態で押釦５が押操作されると図３に示すように押子５ｂの先端部分がドームスイッチ７の中央部を押し付け、押子５ｂの下面の当接点の間に突起部分があることで、押釦の反発力を助長するとともに、押子５ｂを介し点接触状態となるので吸盤状にへばり付くことなく、瞬時に図４のように元の状態に復帰する。
【００３７】
各図において、押子５ｂの高さ及び形状を調整することで、部品精度、装置組立等によるバラツキから生じる押釦５の隙間を無くすことができるため、押しストローク量の個体差を解消できる。
【００３８】
即ち、部品精度、装置組立等によるバラツキで押子５ｂと当接点の間に隙間が無かった場合においては、押子５ｂはドームスイッチ７に挟まれて、押し潰されることにより、若干の量だけ干渉される設定となっていても押子５ｂのみが潰れるためスイッチオンはされないのである。
【００３９】
また、押子５ｂの高さ及び形状を調整することで、押釦５がケース１と前述当接点に挟まれるように固定できるため、バイブレーション機能、スピーカー機能を有した携帯機器においてはバイブレーション、スピーカーの振動から生じる異音の発生を抑えることができる。
【００４０】
さらに、部品精度、装置組立等によるバラツキで押子５ｂと当接点に隙間がなかった場合においては、押子５はドームスイッチ７に挟まれて、押し潰されることにより、若干の量だけ干渉される状態の設定となっていても押子５ｂのみが潰れるためスイッチオンはされない。
【００４１】
なお、本発明に係るキースイッチ構造は,前述の実施例に限定されることなくその要旨を逸脱しない範囲内において種種の変形実施を行うことができる。
【００４２】
本発明の押子の先端形状は、１つの凸部で形成されているが、複数の凸部で形成しても良く、またその先端形状は、略半球状の突起で形成される他に細柱状であったり、略平面状の当接面に溝部を形成した形状であっても良い。
【００４３】
また、印刷配線基板は、可撓性を有さない板材で作られているが、可撓性を有する板材で構成したり、その両者を組み合わせて構成するようにしても良い。
【００４４】
さらに、前記接点導体部は、前記ドームスイッチと、押子を有するキースイッチの複数組が隣接して構成された場合のみならず、単独で独立したものであっても良く、前記押釦の複数が連結板を介して連結されて用いられているが単独であって良い。
【図面の簡単な説明】
【００４５】
【図１】本発明によるキースイッチ構造の［実施例１］の拡大断面図である。
【図２】本発明によるキースイッチ構造の［実施例１］の分解斜視図である。
【図３】本発明によるキースイッチ構造の［実施例１］のスイッチオン状態を示す拡大断面図である。
【図４】本発明によるキースイッチ構造の［実施例１］のスイッチオフ状態を示す拡大断面図である。
【図５】従来のキースイッチ構造の一例の動作原理を示す図である。
【符号の説明】
【００４６】
１    カバー
２    印刷配線基板
２ａ  中心導体部
２ｂ  周辺導体部
３    シート
４    ドームスイッチ
５    押釦
５ａ  突出部
５ｂ  押子
６    連結板
７    ドームスイッチ
７ａ  可動接地点
８    機器本体
【図１】
2006012699.tif 000003
【図２】
2006012699.tif 000004
【図３】
2006012699.tif 000005
【図４】
2006012699.tif 000006
【図５】
2006012699.tif 000007